(57)【特許請求の範囲】
【請求項１】
車体のドア開口部（１４，１７）の上縁に沿って折り畳み状態のエアバッグ（２１）を配置すると共に、その折り畳んだエアバッグ（２１）に沿って衝撃吸収部材（３３Ｆ，３３Ｍ，３３Ｒ）を配置し、車両の衝突時にインフレータ（３０）が発生するガスでエアバッグ（２１）を膨張させて車室の側部内面に沿ってカーテン状に展開させる乗員拘束装置において、
センターピラー（１２）のピラーガーニッシュ（５３）の上端近傍では、該ピラーガーニッシュ（５３）の上側に位置させた円筒状の衝撃吸収部材（３３Ｍ）が、展開するエアバッグ（２１）を該衝撃吸収部材（３３Ｍ）で車室側に案内して該ピラーガーニッシュ（５３）上端にエアバッグ（２１）が引っ掛かるのを防止し得るように、エアバッグ（２１）の下部に配置され、
前記衝撃吸収部材（３３Ｍ）は、上端が車体に固定されエアバッグ（２１）の裏側を通って下方に延びる支持部（２１ａ′）に形成した、前後を開放した筒状部に挿通、支持されることを特徴とする、乗員拘束装置。
【発明の詳細な説明】
【０００１】
【発明の属する技術分野】
本発明は、車体のドア開口部の上縁に沿って折り畳み状態のエアバッグを配置し、車両の衝突時にインフレータが発生するガスでエアバッグを膨張させて車室の側部内面に沿ってカーテン状に展開させる乗員拘束装置に関する。
【０００２】
【従来の技術】
かかる乗員拘束装置は、例えば、特開２０００−３３８４７号公報、特開平１１−２３５９６５号公報により公知である。また前記乗員拘束装置のエアバッグが展開しないような軽衝突時に、乗員がルーフサイドレールに二次衝突したときの衝撃を吸収すべく、折り畳んだエアバッグの上部に沿うように衝撃吸収部材を配置することも行われている。
【０００３】
【発明が解決しようとする課題】
ところで、折り畳んだエアバッグがルーフサイドレールから下方に展開するとき、エアバッグはフロントドアのドアガラスやリヤドアのドアガラスに沿ってスムーズに展開することができるが、センターピラーはドアガラスの内面よりも車室側に突出しているため、エアバッグがセンターピラーのピラーガーニッシュの上端に引っ掛かってスムーズに展開できなくなる可能性がある。
【０００４】
本発明は前述の事情に鑑みてなされたもので、折り畳んだエアバッグに沿って配置される衝撃吸収部材を利用して、展開するエアバッグがピラーガーニッシュの上端に引っ掛かるのを防止することを目的とする。
【０００５】
【課題を解決するための手段】
上記目的を達成するために、請求項１に記載された発明によれば、車体のドア開口部の上縁に沿って折り畳み状態のエアバッグを配置すると共に、その折り畳んだエアバッグに沿って衝撃吸収部材を配置し、車両の衝突時にインフレータが発生するガスでエアバッグを膨張させて車室の側部内面に沿ってカーテン状に展開させる乗員拘束装置において、センターピラーのピラーガーニッシュの上端近傍では、該ピラーガーニッシュの上側に位置させた円筒状の衝撃吸収部材が、展開するエアバッグを該衝撃吸収部材で車室側に案内して該ピラーガーニッシュ上端にエアバッグが引っ掛かるのを防止し得るように、エアバッグの下部に配置され、前記衝撃吸収部材は、上端が車体に固定されエアバッグの裏側を通って下方に延びる支持部に形成した、前後を開放した筒状部に挿通、支持されることを特徴とする乗員拘束装置が提案される。
【０００６】
上記構成によれば、折り畳んだエアバッグに沿ってその上部あるいは下部に配置した衝撃吸収部材により、エアバッグが展開しないような軽衝突時に乗員の頭部を二次衝突の衝撃から保護することができる。また特にセンターピラーガーニッシュの上端近傍では、該ピラーガーニッシュの上側に位置させた円筒状の衝撃吸収部材をエアバッグの下部に配置したことにより、エアバッグとセンターピラーガーニッシュの上端との距離を確保して展開するエアバッグがセンターピラーガーニッシュの上端に引っ掛かり難くするとともに、展開するエアバッグを衝撃吸収部材で車室側に案内してセンターピラーガーニッシュの上端に引っ掛かるのを更に確実に防止することができる。また上記円筒状の衝撃吸収部材は、上端が車体に固定されエアバッグの裏側を通って下方に延びる支持部に形成した、前後を開放した筒状部に挿通、支持される。
【０００７】
【発明の実施の形態】
以下、本発明の実施の形態を、添付図面に示した本発明の実施例に基づいて説明する。  図１〜図１２は本発明の一実施例を示すもので、図１は自動車の車室内部を示す斜視図、図２は乗員拘束装置のエアバッグが展開した状態を示す、前記図１に対応する図、図３はエアバッグが展開した乗員拘束装置の拡大図、図４は乗員拘束装置の分解斜視図、図５は図１の５−５線拡大断面図、図６は図１の６−６線拡大断面図、図７は図１の７−７線拡大断面図、図８は図１の８−８線拡大断面図、図９は図３の９−９線拡大断面図、図１０は図５の１０−１０線拡大断面図、図１１は図４の１１方向矢視図、図１２は図７の１２方向矢視図である。
【０００８】
図１に示すように、車両の車体側面にはフロントピラー１１およびセンターピラー１２間にフロントドア１３が取り付けられるドア開口部１４が形成され、センターピラー１２およびリヤピラー１５間にリヤドア１６が取り付けられるドア開口部１７が形成される。フロントピラー１１の上端とリヤピラー１５の上端とを接続するように車体前後方向に延びるルーフサイドレール１８（図５参照）はフロントドア１３およびリヤドア１６のドア開口部１４，１７の上縁を区画しており、このルーフサイドレール１８に沿って乗員拘束装置Ｃが設けられる。尚、乗員拘束装置Ｃは、実質的に同一構造のものが車体の左右両側にそれぞれ設けられているが、以下その代表として車体の右側に設けられたものについて説明する。
【０００９】
図２に示すように、車両の側面衝突時あるいはロールオーバー時に所定値以上の加速度が検出されると、車体の内部側面、即ちフロントピラー１１、センターピラー１２、リヤピラー１５、フロントドア１３のドアガラス１３ａおよびリヤドア１６のドアガラス１６ａと、フロントシートおよびリヤシートに座った乗員との間に遮るように、乗員拘束装置Ｃのエアバッグ２１がドア開口部１４，１７の上縁から下向きにカーテン状に展開する。  図３に示すように、車体前後方向に延びるエアバッグ２１は略同一形状の第１基布２５および第２基布２６（図９参照）を２重に重ね合わせて縫製２７したものであり、その縫製２７によって複数個（例えば１３個）のセル２８…と、上部連通路２９とが形成される。リヤピラー１５の内部に収納されたインフレータ３０から前方に延びるガス供給パイプ３１の前端は上部連通路２９内に挿入され、その上部連通路２９から下向きに分岐する前記１３個のセル２８…の下端は閉塞される。ガス供給パイプ３１が上部連通路２９内に挿入される部分は金属バンド等で固定され、ガスが漏れないようにシールされる。
【００１０】
尚、エアバッグ２１のフロントピラー１１の後側に対応する位置と、センターピラー１２の後側に対応する位置とには、セル２８…が形成されない非膨張部２１ｂ，２１ｃが設けられる。
【００１１】
エアバッグ２１の上縁に沿って複数個（例えば６個の）の支持部２１ａ…，２１ａ′が設けられており、コルゲートパイプよりなる３分割された衝撃吸収部材３３Ｆ，３３Ｍ，３３Ｒが前記支持部２１ａ…，２１ａ′によってエアバッグ２１と一体化される。図１０に示すように、衝撃吸収部材３３Ｆ，３３Ｍ，３３Ｒは中央のアルミニウム製の本体部３３ａと内外の紙製の被覆３３ｂ，３３ｃとを積層して円形断面の蛇腹状に形成したもので、外部からの荷重により潰れて有効な衝撃吸収効果を発揮する。
【００１２】
図３〜図７を参照すると明らかなように、ルーフ３４はアウター部材３５、センター部材３６およびインナー部材３７から構成され、フロントピラー１１はアウター部材３９、センター部材４０およびインナー部材４１から構成される。前側の衝撃吸収部材３３Ｆは、エアバッグ２１と一体の前から１番目および２番目の支持部２１ａ，２１ａを貫通する各２本のボルト３８，３８で、折り畳んだエアバッグ２１の上部に沿ってフロントピラー１１のインナー部材４１およびルーフ３４のインナー部材３７に固定される。
【００１３】
中央の衝撃吸収部材３３Ｍは、エアバッグ２１と別体に形成されてエアバッグ２１の裏面側を通って下方に延びる支持部２１ａ′の下端部に形成した、前後を開放した筒状部に挿通、支持され、その支持部２１ａ′の上端部は、エアバッグ２１の前から３番の支持部２１ａと共に２本のボルト３８，３８で、折り畳んだエアバッグ２１の下部に沿ってルーフ３４のインナー部材３７に固定される。後側の衝撃吸収部材３３Ｒは、エアバッグ２１と一体の前から４番目および５番目の支持部２１ａ，２１ａを貫通する各２本のボルト３８，３８で、折り畳んだエアバッグ２１の上部に沿ってルーフ３４のインナー部材３７に固定される。
【００１４】
このように、折り畳んだエアバッグ２１と衝撃吸収部材３３Ｆ，３３Ｍ，３３Ｒとを予め一体化してモジュールを構成したので、それらを別個に車体に取り付ける場合に比べて取付作業が容易になり、作業能率の向上および組付精度の向上が可能になる。しかも折り畳んだエアバッグ２１およびコルゲートパイプより衝撃吸収部材３３Ｆ，３３Ｍ，３３Ｒは共に可撓性を有しているため、湾曲したルーフサイドレール１８に沿うように配置することが容易である。
【００１５】
図４から明らかなように、折り畳み状態のエアバッグ２１は、不織布で形成したエアバッグカバー４２の内部に収納される。エアバッグカバー４２は、長方形の布片を筒状にして下縁に沿って縫製したもので、ルーフサイドレール１８に対向する側面に容易に破断するスリット４２ａ…がミシン目状に形成される。またエアバッグ２１の上端から突出する支持部２１ａ…が、エアバッグカバー４２の上面に形成した開口４２ｂ…を通過して上方に突出する。
【００１６】
図５から明らかなように、アウター部材４３、センター部材４４およびインナー部材４５から構成されたルーフサイドレール１８の下端には、リヤドア１６（あるいはフロントドア１３）に当接可能なウエザーストリップ４６が設けられる。ルーフ３４の下面に沿うように配置された合成樹脂製のルーフガーニッシュ４７の端縁は、ルーフサイドレール１８の下端から車室側に突出したウエザーストリップ４６の端縁に係止される。車室に対向するルーフガーニッシュ４７の下面は表皮材４９で被覆されており、この表皮材４９はルーフガーニッシュ４７の端縁において下面側から上面側に回り込んでいる。これにより、衝撃が加わったときに合成樹脂製のルーフガーニッシュ４７の端縁が割れて飛散するのを防止することができる。
【００１７】
図４および図６から明らかなように、ルーフサイドレール１８から下向きに延びるセンターピラー１２はアウトサイドパネル６５、スチフナ６６およびセンターピラーインナー６７から構成されており、ルーフ３４のインナー部材３７とセンターピラー１２のセンターピラーインナー６７とに亘ってフロントブラケット５０が装着される。フロントブラケット５０は金属板を折り曲げたもので、その上部がルーフ３４のインナー部材３７に重ねられた状態で、エアバッグ２１の支持部２１ａ，２１ａ′と共に２本のボルト３８，３８で固定され、またその下部がセンターピラー１２のセンターピラーインナー６７に２本のボルト５１，５１で固定される。
【００１８】
フロントブラケット５０の中間には車室側に突出する突出部５０ａが形成されており、突出部５０ａに形成した２個の係止孔５０ｂ，５０ｂに、センターピラーガーニッシュ５３の上部内面に突設した係止爪５３ａ，５３ａが係合する。尚、センターピラーガーニッシュ５３の内面には、乗員の二次衝突の衝撃を吸収すべく多数の衝撃吸収リブ（図示せず）が形成される。
【００１９】
しかして、特別のクリップ等を用いることなく、センターピラーガーニッシュ５３の上部をセンターピラー１２に固定することができ、しかもクリップを用いた場合に比べてセンターピラーガーニッシュ５３を強固に固定することができる。そしてルーフガーニッシュ４７の下縁が、フロントブラケット５０の突出部５０ａの頂面５０ｃとセンターピラーガーニッシュ５３の上端内面との間に挟まれて固定される。
【００２０】
図４、図７および図１２から明らかなように、ルーフサイドレール１８から下向きに延びるリヤピラー１５はアウター部材５４、センター部材５５およびインナー部材５６から構成されており、ルーフ３４のインナー部材３７とリヤピラー１５のインナー部材５６とに亘ってリヤブラケット５７が装着される。リヤブラケット５７は、その上部がルーフ３４のインナー部材３７に重ねられた状態で、エアバッグ２１の支持部２１ａと共に２本のボルト３８，３８で固定され、その下部がリヤピラー１５のインナー部材５６に２本のボルト５８，５８で固定される。リヤブラケット５７の中間には車室側に突出する突出部５９が形成されており、突出部５９の上面に形成したガイド面５９ａが折り畳んだエアバッグ２１の下端に対向する。
【００２１】
リヤピラー１５のインナー部材５６にクリップ６０で固定されたリヤピラーガーニッシュ６１は、その上端に車体外側に折れ曲がったフランジ６１ａを備えており、ルーフガーニッシュ４７の下縁にも前記リヤピラーガーニッシュ６１のフランジ６１ａに突き合わされるフランジ４７ａが形成される。ルーフガーニッシュ４７のフランジ４７ａは、下向きに突出する複数個（実施例では５個）の係止爪４７ｂ…を備えており、これらの係止爪６１ｂ…はリヤピラーガーニッシュ６１のフランジ６１ａの裏面に係合する。尚、リヤピラーガーニッシュ６１の内面には、乗員の二次衝突の衝撃を吸収すべく多数の衝撃吸収リブ（図示せず）が形成される。
【００２２】
図２、図８および図１１に示すように、フロントピラー１１の前面にはラバー部材６２を介してフロントガラス６３の側縁が支持されており、このラバー部材６２とフロントピラー１１の後面に設けたウエザーストリップ４８との間に、断面が弧状に湾曲するフロントピラーガーニッシュ６４が取り付けられる。フロントピラーガーニッシュ６４の上半部は中空であり、そこにエアバッグ２１の前端の折り畳まれた非膨張部２１ｂと、衝撃吸収部材３３Ｆの前端部とが収納される。そしてエアバッグ２１および衝撃吸収部材３３Ｆが収納されないフロントピラーガーニッシュ６４の下半部の内面には、衝撃吸収用の多数の衝撃吸収リブ６４ａ…が一体に形成される。
【００２３】
このように、フロントピラーガーニッシュ６４の上半部に衝撃吸収部材３３Ｆを収納し、フロントピラーガーニッシュ６４の下半部に多数の衝撃吸収リブ６４ａ…を形成したことにより、フロントピラー１１内にエアバッグ２１の前端部を収納しながら、フロントピラー１１の全長に亘って衝撃吸収効果を発揮させることができる。しかもエアバッグ２１の前端部を収納するフロントピラーガーニッシュ６４の上半部に衝撃吸収リブ６４ａ…が形成されていないため、エアバッグ２１の展開時にフロントピラーガーニッシュ６４を容易に撓ませてエアバッグ２１のスムーズな展開を可能にし、かつフロントピラーガーニッシュ６４の一部が割れて飛散するのを確実に防止することができる。
【００２４】
図１に示すように、前部側突センサ７１および後部側突センサ７２が電子制御ユニット７３に接続されており、電子制御ユニット７３が両加速度センサ７１，７２からの信号に基づいて車両の側面衝突（あるいは車両のロールオーバー）１検知すると、エアバッグ２１を展開すべくインフレータ３０に作動信号を出力する。
【００２５】
次に、上記実施例の作用について説明する。
【００２６】
車両の側面衝突が検知されるとインフレータ３０が作動し、インフレータ３０に蓄圧されていたガスがガス供給パイプ３１および上部連通路２９を経て１３個のセル２８…に流入し、それら１３個のセル２８…を膨張させる。エアバッグ２１の膨張によりエアバッグカバー４２のスリット４２ａ…が破断し、拘束を解かれたエアバッグ２１が下方に展開する。
【００２７】
図５に示すように、フロントドア１３およびリヤドア１６のドア開口部１４，１７では、展開するエアバッグ２１の圧力でルーフガーニッシュ４７の下縁が下方に押し下げられてウエザーストリップ４６との係合が外れ、そこに形成された開口を通ってエアバッグ２１が車室内に下向きに展開する。
【００２８】
また図６に示すように、センターピラー１２の位置では、展開するエアバッグ２１の圧力でルーフガーニッシュ４７の下縁が下方に押し下げられてセンターピラーガーニッシュ５３の上端との係合が外れ、そこに形成された開口を通ってエアバッグ２１が車室内に下向きに展開する。
【００２９】
ところで、センターピラー１２の車室側側面を覆うセンターピラーガーニッシュ５３は、センターピラー１２ではなくフロントブラケット５０に固定されているため、車両が側面衝突してルーフサイドレール１８に対してセンターピラー１２の上部が変形しても、フロントブラケット５０の上部に支持したエアバッグ２１とセンターピラーガーニッシュ５３との位置関係が変化し難くなる。従って、センターピラーガーニッシュ５３をクリップではなく係止爪５３ａ，５３ａでフロントブラケット５０に強固に固定したことと相俟って、展開するエアバッグ２１がセンターピラーガーニッシュ５３の上端に引っ掛かり難くして確実な展開を保証することができる。
【００３０】
しかも、衝撃吸収部材３３Ｍをエアバッグ２１の下方に配置したことで、エアバッグ２１とセンターピラーガーニッシュ５３の上端との距離が増加し、また展開するエアバッグ２１が衝撃吸収部材３３Ｍによって車室内に向けて斜め下方に案内されるため、センターピラーガーニッシュ５３との干渉を回避してエアバッグ２１を一層スムーズに展開させることができる。
【００３１】
また図７に示すように、リヤピラー１５の位置では、展開するエアバッグ２１の圧力でルーフガーニッシュ４７の下縁が下方に押し下げられてリヤピラーガーニッシュ６１の上端との係合が外れ、そこに形成された開口を通ってエアバッグ２１が車室内に下向きに展開する。このとき、展開するエアバッグ２１は、リヤブラケット５７の突出部５９の傾斜したガイド面５９ａに案内されて車室内に向けて斜め下方に案内されるため、リヤピラーガーニッシュ４７との干渉を回避してエアバッグ２１をスムーズに展開させることができる。
【００３２】
更に、ルーフガーニッシュ４７の下縁近傍は突出部５９の頂面５９ｂとリヤピラーガーニッシュ６１のフランジ６１ａとにより両側から挟まれて位置決めされるため、両者のフランジ４７ａ，６１ａは段差を発生せずに突き合わされて美観が向上する。しかもエアバッグ２１の展開時にルーフガーニッシュ４７の係止爪４７ｂ…が撓んでリヤピラーガーニッシュ６１のフランジ６１ａから簡単に外れるため、ルーフガーニッシュ４７とリヤピラーガーニッシュ６１との間にエアバッグ２１が展開する開口を確実に形成することができる。仮に、ルーフガーニッシュ４７の下縁全体をリヤピラーガーニッシュ６１の上縁の裏面に係合させると、エアバッグ２１の展開時にルーフガーニッシュ４７の下縁をリヤピラーガーニッシュ６１の上縁からスムーズに分離させるのが難しくなる。
【００３３】
また図８に示すように、フロントピラー１１の位置では、展開するエアバッグ２１の圧力でフロントピラーガーニッシュ６４の後縁が下方に押し下げられてウエザーストリップ４８との係合が外れ、そこに形成された開口を通ってエアバッグ２１が車室内に下向きに展開する。
【００３４】
側面衝突により発生する加速度が所定値以下の場合には乗員拘束装置Ｃは作動しないが、その衝撃で乗員がルーフサイドレール１８に臨むルーフガーニッシュ４７の下縁、あるいはフロントピラーガーニッシュ６４の上部に二次衝突した場合には、コルゲートパイプよりなる衝撃吸収部材３３Ｆ，３３Ｍ，３３Ｒが押し潰されて衝撃を吸収するだけでなく、折り畳まれたエアバッグ２１も衝撃吸収効果を高める機能を発揮する。このとき、衝撃吸収部材３３Ｆ，３３Ｍ，３３Ｒはルーフ３４のインナー部材３７あるいはフロントピラー１１のインナー部材４１に当接する状態で支持されているため（図５〜図８参照）、それらインナー部材３７，４１に押し付けられて確実に圧潰し、二次衝突の衝撃を効果的に吸収することができる。
【００３５】
以上、本発明の実施例を詳述したが、本発明はその要旨を逸脱しない範囲で種々の設計変更を行うことが可能である。
【００３６】
例えば、実施例では衝撃吸収部材３３Ｍをセンターピラー１２の位置でエアバッグ２１の下方に配置しているが、リヤピラー１５の位置でエアバッグ２１の下方に配置することも可能である。また衝撃吸収部材３３Ｆ，３３Ｍ，３３Ｒはコルゲートパイプに限定されず、任意の構造のものを採用することができる。
【００３７】
【発明の効果】
以上のように請求項１に記載された発明によれば、折り畳んだエアバッグに沿ってその上部あるいは下部に配置した衝撃吸収部材により、エアバッグが展開しないような軽衝突時に乗員の頭部を二次衝突の衝撃から保護することができる。また特にセンターピラーガーニッシュの上端近傍では、該ピラーガーニッシュの上側に位置させた円筒状の衝撃吸収部材をエアバッグの下部に配置したことにより、エアバッグとセンターピラーガーニッシュの上端との距離を確保して展開するエアバッグがセンターピラーガーニッシュの上端に引っ掛かり難くするとともに、展開するエアバッグを衝撃吸収部材で車室側に案内してセンターピラーガーニッシュの上端に引っ掛かるのを更に確実に防止することができる。また上記円筒状の衝撃吸収部材は、上端が車体に固定されエアバッグの裏側を通って下方に延びる支持部に形成した、前後を開放した筒状部に挿通、支持される。
【図面の簡単な説明】
【図１】自動車の車室内部を示す斜視図
【図２】乗員拘束装置のエアバッグが展開した状態を示す、前記図１に対応する図
【図３】エアバッグが展開した乗員拘束装置の拡大図
【図４】乗員拘束装置の分解斜視図
【図５】図１の５−５線拡大断面図
【図６】図１の６−６線拡大断面図
【図７】図１の７−７線拡大断面図
【図８】図１の８−８線拡大断面図
【図９】図３の９−９線拡大断面図
【図１０】図５の１０−１０線拡大断面図
【図１１】図４の１１方向矢視図
【図１２】図７の１２方向矢視図
【符号の説明】
１２        センターピラー
１４        ドア開口部
１７        ドア開口部
２１        エアバッグ
２１ａ′ 衝撃吸収部材支持部
３０        インフレータ
３３Ｆ      衝撃吸収部材
３３Ｍ      衝撃吸収部材
３３Ｒ      衝撃吸収部材
５３        センターピラーガーニッシュ（ピラーガーニッシュ）
【図１】
0003631981.tif 000002
【図２】
0003631981.tif 000003
【図３】
0003631981.tif 000004
【図４】
0003631981.tif 000005
【図５】
0003631981.tif 000006
【図６】
0003631981.tif 000007
【図７】
0003631981.tif 000008
【図８】
0003631981.tif 000009
【図９】
0003631981.tif 000010
【図１０】
0003631981.tif 000011
【図１１】
0003631981.tif 000012
【図１２】
0003631981.tif 000013